(57)【要約】【課題】ＩＰ電話の有効／無効調査を、無鳴動、無課金で実現する。【解決手段】ＩＰ電話が接続された通信事業者のＳＩＰサーバに接続される電話番号調査装置１０は、調査対象となるＩＰ電話７０、又はＳＩＰサーバ４０にオプション機能や能力を問い合わせるＳＩＰオプション要求を送信し、ＳＩＰサーバ４０経由で応答メッセージを受信するメッセージ交換制御部１２と、応答メッセージを参照して調査対象となるＩＰ電話７０が現在使用されているか否かを判定する判定部１３と、を備える。【選択図】図３
2016225717.tif 000002
【特許請求の範囲】
【請求項１】
ＩＰ電話が接続された通信事業者のＳＩＰサーバに接続される電話番号調査装置であって、
調査対象となる前記ＩＰ電話、又は前記ＳＩＰサーバにオプション機能や能力を問い合わせるＳＩＰオプション要求を送信し、前記ＳＩＰサーバ経由で応答メッセージを受信するメッセージ交換制御部と、
前記応答メッセージを参照して前記調査対象となるＩＰ電話が現在使用されているか否かを判定する判定部と、を備えることを特徴とする電話番号調査装置。
【請求項２】
前記判定部は、前記応答メッセージが成功応答又は話し中の場合は現在使用中、要求エラーの場合は欠番、リダイレクト応答の場合は番号移転であると、それぞれ判定することを特徴とする請求項１に記載の電話番号調査装置。
【請求項３】
前記判定の結果それぞれに判定日時を示すタイムスタンプを付与して時系列に記録する電話番号履歴生成部をさらに備えることを特徴とする請求項１又は２に記載の電話番号調査装置。
【請求項４】
調査対象ＩＰ電話番号の実在の有無を判定する電話番号調査方法であって、
調査対象となる前記ＩＰ電話、又は前記ＳＩＰサーバにオプション機能や能力を問い合わせるＳＩＰオプション要求を送信し、前記ＳＩＰサーバ経由で応答メッセージを受信するステップと、
前記応答メッセージを参照して前記調査対象となるＩＰ電話が現在使用されているか否かを判定するステップと、を有することを特徴とする電話番号調査方法。
【請求項５】
ＩＰ電話が接続された通信事業者のＳＩＰサーバに接続される電話番号調査装置のプログラムであって、
コンピュータに、
調査対象となる前記ＩＰ電話、又は前記ＳＩＰサーバにオプション機能や能力を問い合わせるＳＩＰオプション要求を送信し、前記ＳＩＰサーバ経由で応答メッセージを受信する手順と、
前記応答メッセージを参照して前記調査対象となるＩＰ電話が現在使用されているか否かを判定する手順と、を実行させるプログラム。
【請求項６】
ユーザ端末と、前記ユーザ端末とはＩＰ網経由で接続されるとともに、ＩＰ電話が接続された通信事業者のＳＩＰサーバに接続される電話番号調査装置とからなる電話番号調査情報提供システムであって、
前記電話番号調査装置は、
前記ユーザ端末から調査対象番号に基づく電話番号調査情報提供要求を前記ＩＰ網経由で受信すると、調査対象となる前記ＩＰ電話、又は前記ＳＩＰサーバにオプション機能や能力を問い合わせるＳＩＰオプション要求を送信し、
前記ＳＩＰサーバ経由で応答メッセージを受信し、前記応答メッセージを参照して前記調査対象となるＩＰ電話が現在使用されているか否かを判定して前記電話番号調査情報提供要求があったユーザ端末へ前記ＩＰ網経由で送信することを特徴とする電話番号調査情報提供システム。
【請求項７】
前記電話番号調査装置は、
前記ユーザ端末から調査対象番号に基づく電話番号調査情報提供要求を前記ＩＰ網経由で受信すると、前記判定の結果のそれぞれに判定日時を示すタイムスタンプを付与して時系列に記録された電話番号調査情報が記録された記憶媒体を参照し、前記電話番号調査情報提供要求があったユーザ端末へ前記ＩＰ網経由で送信することを特徴とする請求項６に記載の電話番号調査情報提供システム。
【請求項８】
ＩＰ電話が接続された通信事業者のＳＩＰサーバに接続される電話番号調査装置により生成される、調査対象番号の実在の有無が記録される記録媒体であって、
前記電話番号調査装置が、
調査対象となる前記ＩＰ電話、又は前記ＳＩＰサーバにオプション機能や能力を問い合わせるＳＩＰオプション要求を送信し、前記ＳＩＰサーバ経由で応答メッセージを受信し、前記応答メッセージを参照して前記調査対象となるＩＰ電話が現在使用されているか否かを判定した結果に、判定日時を示すタイムスタンプが付与され、時系列に記録されてなることを特徴とする記録媒体。
【発明の詳細な説明】
【技術分野】
【０００１】
本発明は、電話番号調査装置、同方法、同プログラム、同情報提供システム、及び記録媒体に関する。
【背景技術】
【０００２】
出願人が先に出願し、公開された、例えば、特許文献１，２，３がある。これら文献に記載されているように、電話番号調査装置は、全国の電話番号の使用状況情報を取得するために、発信装置を、ＰＳＴＮ（Public Switched Telephone Networks：公衆交換電話網）、移動体通信網、あるいはＩＰ（Internet Protocol）網に接続し、ＩＳＤＮ（Integrated Service Digital Network：サービス統合デジタル網）のＵＮＩ（User Network Interface:ユーザ網インタフェース）プロトコル等を利用して、着信ユーザ（電話端末）のベルを鳴動させることなく加入者データの問い合わせを行い、「電話番号有効」、「無効」、「移転」等、電話番号の使用状況の調査を行う。
【０００３】
図７に、その電話番号調査の仕組みを、図８（ａ）（ｂ）に、その電話番号調査の流れをシーケンス図で示す。図７に示すように、電話番号調査装置２００とＩＳＤＮ３００との間はＵＮＩプロトコル（Ｑ．９３１）、ＩＳＤＮ３００と固定通信網４００との間、及びＩＳＤＮ３００と移動体通信網５００との間はＮＮＩ（Network Node Interface）プロトコル（ＳＳ７）、ＩＳＤＮ３００とＩＰ（Internet Protocol）網６００との間はＳＩＰプロトコル（ＳＩＰ：Session Initiation Protocol）にしたがいそれぞれメッセージ交換が行われる。
【０００４】
上記した接続構成において、着信ユーザ（電話端末）が実在する場合は「ＡＬＥＲＴ」（呼出しメッセージ）が発生し、アナログ端末，ＩＳＤＮ端末のそれぞれのベルが鳴動する。このため、図８（ａ）に示すように、電話番号調査装置２００は、ベルが鳴動する前に着信側交換機から「ＣＡＬＬ  ＰＲＯＧ」（呼設定受付メッセージ）の受信タイムアウト（Ｔ．Ｏ表記）、あるいは、図８（ｂ）に示すように、「ＡＬＥＲＴ」の受信をトリガに切断処理を実行している。しかしながら、図８（ｂ）に示すように、ＩＳＤＮ端末は、「ＳＥＴ  ＵＰ」（呼設定メッセージ）受信により呼出し処理に移行するため、ベルが鳴動している可能性が高い。
【０００５】
また、発呼しても着呼しない不完了呼の場合、着信ユーザのベルが鳴動することはない。そのため、電話番号調査装置２００は、交換機から返送される切断信号等の「理由表示」を分析することで電話番号の使用状況を認識することができる。理由表示には、「００１：欠番」、「０１６：正常」、「０２２：加入者番号変更」、「０２８：無効番号」等がある。
【０００６】
なお、ＩＰ網６００に接続されるＩＰ電話の場合、ＩＮＶＩＴＥ要求を行うと、応答メッセージ「１８０  Ｒｉｎｇｉｎｇ」が出力され、その結果、着信側ＩＰ電話でベルが鳴動する。このため、例えは、特許文献３に記載されているように、敢えて正しくない記述のＩＮＶＩＴＥ電文をＳＩＰサーバに送信することでベル無鳴動となる電話番号調査装置が知られている。しかしながら、出願人がこの技術を用いて評価試験を試みたところ、依然として無鳴動、無課金による電話番号使用状況の調査を確立できていない。
【先行技術文献】
【特許文献】
【０００７】
【特許文献１】特開２００９−０５５５１２号公報
【特許文献２】特開２０１１−１３５１２１号公報
【特許文献３】特開２０１４−０３３４７４号公報
【特許文献４】特開２０１２−０１５６０５号公報
【発明の概要】
【発明が解決しようとする課題】
【０００８】
そもそも、電話番号の有効、無効、移転等の電話番号使用状況を調査する電話番号調査装置は、一般的に数百万件単位の顧客情報の住所変更を検知するために電話番号クリーニング処理を行い、電話番号の無効（住所変更）を調べるためのツールとして市場に認知されてきた。これに対し、出願人は上記した特許文献１，２，３に記載されているように、数億件規模の電話番号の使用履歴調査を行うことができるように機能拡張した。
【０００９】
ところで、近年、固定電話は、順次ＩＰ電話に移行している。２０１４年の情報通信白書によれば、２０１３年末で２６５０万台がＩＰ電話であると報告される。したがって無鳴動、無課金のＩＰ電話番号調査装置の実現が待たれている。さらには、近い将来、ＰＳＴＮが全てＮＧＮ（Next Node Generation）網へ移行になるため、新たな電話番号の有効、無効判定を行うためのツールの出現が期待されている。
【００１０】
本発明は上記した課題を解決するためになされたものであり、ＩＰ電話の有効／無効調査を、無鳴動、無課金で実現する、電話番号調査装置、同方法、同プログラム、同情報提供システム、及び記録媒体を提供することを目的とする。
【課題を解決するための手段】
【００１１】
上記した課題を解決するために本発明は、ＩＰ電話が接続された通信事業者のＳＩＰサーバに接続される電話番号調査装置であって、調査対象となる前記ＩＰ電話、又は前記ＳＩＰサーバにオプション機能や能力を問い合わせるＳＩＰオプション要求を送信し、前記ＳＩＰサーバ経由で応答メッセージを受信するメッセージ交換制御部と、前記応答メッセージを参照して前記調査対象となるＩＰ電話が現在使用されているか否かを判定する判定部と、を備えることを特徴とする。
【００１２】
本発明の電話番号調査装置において、前記判定部は、前記応答メッセージが成功応答又は話し中の場合は現在使用中、要求エラーの場合は欠番、リダイレクト応答の場合は番号移転であると、それぞれ判定することを特徴とする。
【００１３】
本発明の電話番号調査装置において、前記判定の結果それぞれに判定日時を示すタイムスタンプを付与して時系列に記録する電話番号履歴生成部をさらに備えることを特徴とする。
【００１４】
また、本発明は、調査対象ＩＰ電話番号の実在の有無を判定する電話番号調査方法であって、調査対象となる前記ＩＰ電話、又は前記ＳＩＰサーバにオプション機能や能力を問い合わせるＳＩＰオプション要求を送信し、前記ＳＩＰサーバ経由で応答メッセージを受信するステップと、前記応答メッセージを参照して前記調査対象となるＩＰ電話が現在使用されているか否かを判定するステップと、を有することを特徴とする。
【００１５】
また、本発明は、ＩＰ電話が接続された通信事業者のＳＩＰサーバに接続される電話番号調査装置のプログラムであって、コンピュータに、調査対象となる前記ＩＰ電話、又は前記ＳＩＰサーバにオプション機能や能力を問い合わせるＳＩＰオプション要求を送信し、前記ＳＩＰサーバ経由で応答メッセージを受信する手順と、前記応答メッセージを参照して前記調査対象となるＩＰ電話が現在使用されているか否かを判定する手順と、を実行させることを特徴とする。
【００１６】
また、本発明は、ユーザ端末と、前記ユーザ端末とはＩＰ網経由で接続されるとともに、ＩＰ電話が接続された通信事業者のＳＩＰサーバに接続される電話番号調査装置とからなる電話番号調査情報提供システムであって、前記電話番号調査装置は、前記ユーザ端末から調査対象番号に基づく電話番号調査情報提供要求を前記ＩＰ網経由で受信すると、調査対象となる前記ＩＰ電話、又は前記ＳＩＰサーバにオプション機能や能力を問い合わせるＳＩＰオプション要求を送信し、前記ＳＩＰサーバ経由で応答メッセージを受信し、前記応答メッセージを参照して前記調査対象となるＩＰ電話が現在使用されているか否かを判定して前記電話番号調査情報提供要求があったユーザ端末へ前記ＩＰ網経由で送信することを特徴とする。
【００１７】
本発明の電話番号情報提供システムにおいて、前記電話番号調査装置は、前記ユーザ端末から調査対象番号に基づく電話番号調査情報提供要求を前記ＩＰ網経由で受信すると、前記判定の結果のそれぞれに判定日時を示すタイムスタンプを付与して時系列に記録された電話番号調査情報が記録された記憶媒体を参照し、前記電話番号調査情報提供要求があったユーザ端末へ前記ＩＰ網経由で送信することを特徴とする。
【００１８】
また、本発明は、ＩＰ電話が接続される通信事業者のＳＩＰサーバに接続される電話番号調査装置により生成される、調査対象番号の実在の有無が記録される記録媒体であって、前記電話番号調査装置が、調査対象となる前記ＩＰ電話、又は前記ＳＩＰサーバにオプション機能や能力を問い合わせるＳＩＰオプション要求を送信し、前記ＳＩＰサーバ経由で応答メッセージを受信し、前記応答メッセージを参照して前記調査対象となるＩＰ電話が現在使用されているか否かを判定した結果に、判定日時を示すタイムスタンプが付与され、時系列に記録されてなることを特徴とする。
【発明の効果】
【００１９】
本発明によれば、ＩＰ電話の有効／無効調査を、無鳴動、無課金で実現する、電話番号調査装置、同方法、同プログラム、同情報提供システム、及び記録媒体を提供することができる。
【図面の簡単な説明】
【００２０】
【図１】本発明の実施の形態に係る電話番号調査装置の網接続形態を示す図である。
【図２】図１のＩＰ電話網の動作シーケンス図である。
【図３】本発明の実施の形態に係る電話番号調査装置の構成ブロック図である。
【図４】本発明の実施の形態に係る記録媒体のデータ構造の一例を示す図である。
【図５】本発明の実施の形態に係る電話番号調査装置の動作フローチャートである。
【図６】本発明の実施の形態に係る電話番号調査情報提供システムの構成図である。
【図７】従来の電話番号調査の仕組みを説明するために引用した図である。
【図８】従来の電話番号調査の流れを示すシーケンス図である。
【発明を実施するための形態】
【００２１】
以下、添付図面を参照して、本発明を実施するための形態（以下、本実施形態と言う）について詳細に説明する。なお、実施形態の説明の全体を通して同じ要素には同じ番号又は符号を付している。
【００２２】
（実施形態の構成）
図１は、本実施形態に係る電話番号調査装置の網接続形態を示す図である。図１に示すように、本実施形態に係る電話番号調査装置１０は、ＩＰ電話７０が接続される通信事業者のＳＩＰサーバ４０に接続される。電話番号調査装置１０及びＩＰ電話７０は、それぞれプロキシサーバＡ（Ｐｒｏｘｙ−Ａ（５０）），プロキシサーバＢ（Ｐｒｏｘｙ−Ｂ（６０））経由でＩＰ電話網３０に接続され、電話番号調査装置１０が、ＩＰ電話７０の発信番号をダイヤル発信により、Ｐｒｏｘｙ−Ａ（５０）、ＩＰ電話網３０、Ｐｒｏｘｙ−Ｂ（６０）の順でルーティングが実行される。
【００２３】
電話番号調査装置１０は、調査対象となるＩＰ電話７０、又はＳＩＰサーバ４０にオプション機能や能力を問い合わせるＳＩＰオプション要求を送信し、ＳＩＰサーバ４０経由で応答メッセージを受信する。そして、その応答メッセージを参照することにより、調査対象となるＩＰ電話７０の実在判定を行う。
【００２４】
ＯＰＴＩＯＮＳメソッドは、ＩＰ電話７０の通信事業者がＵＡ（User Agent）の死活調査や、登録ＩＤ一覧等、ＳＩＰサーバ４０を情報収集する場合に使用される。ＯＰＴＩＯＮＳメソッドを用い、調査対象番号を持つＩＰ電話７０あるいは契約キャリアのＳＩＰサーバ４０にＳＩＰオプション要求を送信することで、相手を呼び出すことなくＩＰ電話７０の実在を調査することができる。なお、ＵＡがこのＯＰＴＩＯＮＳメソッドに応答するか否かはＩＰ電話７０の実装の形態に依存するが、ＳＩＰ仕様であるＲＦＣ３２６２によれば、全てのＵＡはＯＰＴＩＯＮＳメソッドをサポートしなければならないと明記されている。ＯＰＴＩＯＮ要求に対する応答コードは、成功応答「２００  ＯＫ」の他に、話中「４８６  Ｂｕｓｙ  Ｈｅｒｅ」、要求エラー「４××」、リダイレクト応答「３０１」、「３０２」がある。電話番号調査装置１０は、この応答コードを参照することにより、調査対象となるＩＰ電話７０の実在判定を行う。
【００２５】
なお、ダイヤル発信は、予めリストされた電話番号を逐次読み出しオートダイヤル発信を行うこと、あるいはＩＰ電話局番（０５０＋ＡＢＣＤ）を番号リストとして記憶させ、この番号リストを読み出しながら、「００００」〜「９９９９」の番号を追加して発信番号を生成すること等が考えられる。
【００２６】
電話番号調査装置１０は、応答コードが「２００  ＯＫ」又は「４８６  Ｂｕｓｙ  Ｈｅｒｅ」の場合は現在使用中（実在）、「４××」の場合は欠番、「３０１」、「３０２」（リダイレクト応答）の場合は番号移転であると、それぞれ判定する。これにより、ＩＰ電話７０の実在の有無を瞬時に把握することができ、ＩＰ電話７０が鳴動する前に通話回線を切断でき、ＩＰ電話７０の鳴動を未然に防止することができる。なお、電話番号調査装置１０は、判定の結果それぞれに判定日時を示すタイムスタンプを付与して時系列に記録する電話番号履歴ＤＢを構築する。
【００２７】
図２に、図１に示す電話番号調査装置１０を含むＩＰ電話網３０の動作シーケンス図が示されている。従来のＩＰ電話網からの電話番号調査方法によれば、ＩＮＶＩＴＥ要求を発行すれば「１８０  Ｒｉｎｇｉｎｇ」メッセージが出力され、調査対象のＩＰ電話のベルが鳴動する。したがって、出願人は、「１８０  Ｒｉｎｇｉｎｇ」を発生させない方法を発見し、テストしたところ、無鳴動、無課金による電話番号調査方法を確立した。それは、「ＯＰＴＩＯＮＳメソッド」による調査方法である。そのシーケンスが図２に示されている。
【００２８】
図２に示すように、ＩＰ電話網３０に接続される電話番号調査装置１０とＩＰ電話７０は、それぞれ「ＲＥＧＩＳＴＥＲ」要求を発行することにより、使用するＳＩＰサーバ４０の登録を行っているものとする。そのときのパラメータは、電話番号からなる登録番号、ＳＩＰサーバ４０のＩＰアドレス等である。電話番号調査装置１０は、まず、ＳＩＰサーバ４０に対し、他のＵＡにオプションや能力を問い合わせるＯＰＴＩＯＮ要求を送信し、着信ユーザの電話番号の実在の有無を問い合わせする（ステップＳ１１，Ｓ１２）。
【００２９】
これをＳＩＰサーバ４０経由で受信したＩＰ電話７０は、「２００  ＯＫ」の他、「４８６  Ｂｕｓｙ  Ｈｅｒｅ」、「４ＸＸ」、「３０１」、「３０２」コードを返信する（ステップＳ１３，Ｓ１４）。このとき、電話番号調査装置１０は、「２００  ＯＫ」や「４８６  Ｂｕｓｙ  Ｈｅｒｅ」のコードが返信された場合は、その電話番号が実在（有効）すると判定し、「４ＸＸ」のコードが返信される場合は欠番（無効）と判定する。また、「３０１」のコードが返信された場合は移転判定を行い、「３０２」のコードが返信された場合は、一時的移転と判定する。この仕組みにより、「１８０  Ｒｉｎｇｉｎｇ」が発生しないため、調査対象のＩＰ電話７０の鳴動は発生せず、したがって無課金の電話番号調査を実現することができる。
【００３０】
図３に本実施形態に係る電話番号調査装置１０の内部構成が示されている。図３によれば、本実施形態に係る電話番号調査装置１０は、網インタフェース部１１と、メッセージ交換制御部１２と、判定部１３と、電話番号履歴生成部１４と、電話番号履歴ＤＢ（１５）とを含み、構成される。
【００３１】
網インタフェース部１１は、電話番号調査装置１０がＳＩＰサーバ４０との間でＳＩＰプロトコルに準拠した通信を行うための通信インタフェースを担う。メッセージ交換制御部１２は、調査対象となるＩＰ電話７０、又はＳＩＰサーバ４０にオプション機能や能力を問い合わせるＳＩＰオプション要求を送信し、ＳＩＰサーバ４０経由で応答メッセージを受信する。
【００３２】
判定部１３は、応答メッセージを参照して調査対象となるＩＰ電話７０が現在使用されているか否かを判定する。判定部１３は、応答メッセージが成功応答（「２００  ＯＫ」）又は話し中（「４８６  Ｂｕｓｙ  Ｈｅｒｅ」）の場合は現在使用中、要求エラー（「４ＸＸ」）の場合は欠番、リダイレクト応答（「３０１」「３０２」）の場合は番号移転であると、それぞれ判定する。電話番号履歴生成部１４は、判定部１３での判定結果のそれぞれに判定日時を示すタイムスタンプを付与して記憶装置上に時系列に記録することにより電話番号履歴ＤＢ（１５）を構築する。
【００３３】
電話番号履歴ＤＢ（１５）のデータ構造の一例が図４に示されている。電話番号履歴ＤＢ（１５）に格納される電話番号履歴情報は、電話番号履歴情報レイアウトに示すように、１回の調査毎に調査対象である「電話番号」と、調査時に判明した移転先あるいは連絡先電話番号である「新加入者番号」と、交換機から返送される「理由表示」と、「調査年月日」（タイムスタンプ）と、交換機から返信されるレイヤーに関する「その他レイヤー情報」とが記憶されて登録される。また、電話番号履歴情報の例として、例えば、電話番号「０５−３３５９−０９０６」が調査され、調査毎に上記したレイアウトに調査情報が順次格納され、履歴情報として蓄積される。注目すべきことは電話番号が移転され、連絡先電話番号が判明してから、同連絡先電話番号が次回の調査対象「電話番号」として登録されることである。なお、電話番号を所有する「法人名・個人名」、住所、年齢等の「属性情報」、「地図リンク情報」と、信用を評価するための「与信情報」とを付加して記録してもよい。
【００３４】
説明を図３に戻す。網インタフェース部１１、メッセージ交換制御部１２、判定部１３、電話番号履歴生成部１４のそれぞれは、プログラムが記録されたメモリを内蔵するか、同メモリが外付けされたマイクロプロセッサと、通信を含む周辺制御用ＬＳＩ（Large Scale Integration）により実現され、マイクロプロセッサがメモリに記録されたプログラムを逐次読み出し実行することにより、調査対象となるＩＰ電話７０、又はＳＩＰサーバ４０にオプション機能や能力を問い合わせるＳＩＰオプション要求を送信し、ＳＩＰサーバ４０経由で応答メッセージを受信し、そして、その応答メッセージを参照して調査対象となるＩＰ電話７０が現在使用されているか否かを判定する、電話番号調査装置１０としての機能を実現する。
【００３５】
なお、電話番号履歴ＤＢ（１５）は、半導体メモリ、あるいはハードディスクやＤＶＤ（Digital Versatile Disc）等の光メモリ等の大容量記録媒体に実装される。
【００３６】
（実施形態の動作）
以下、図３、図４に示す本実施形態に係る電話番号調査装置１０の動作すなわち電話番号調査方法について、図５のフローチャートを参照しながら詳細に説明する。なお、以下に説明する電話番号調査方法は、コンピュータに対し該当する各手順を実行させて達成することができる。
【００３７】
まず、電話番号調査装置１０のメッセージ交換制御部１２は、調査対象となるＩＰ電話７０、又はＳＩＰサーバ４０に対し、網インタフェース部１１を介してオプション機能や能力を問い合わせるＳＩＰオプション要求を発行（送信）すると（ステップＳ１０１）、ＩＰ電話７０は、ＳＩＰサーバ４０経由で応答メッセージを返信する。これを網インタフェース部１１，メッセージ交換制御部１２経由で受信した判定部１３は、応答メッセージが、成功応答を示す「２００  ＯＫ」コードの場合（ステップＳ１０２“ＹＥＳ”）、あるいは話中応答を示す「４８６  Ｂｕｓｙ  Ｈｅｒｅ」コードの場合（ステップＳ１０３“ＹＥＳ”）、その電話番号は実在する（有効）と判定する（ステップＳ１０４）。
【００３８】
一方、要求エラー応答を示す「４××」コードの場合（ステップＳ１０５“ＹＥＳ”）、判定部１３は、その電話番号は欠番（無効）であると判定する（ステップＳ１０６）。ちなみに、要求エラー応答「４××」コードの内訳は以下の通りである。すなわち、「４００」は不正要求、「４０１」は認証要、「４０２」は支払い要、「４０３」は禁止、「４０４」はユーザが発見できない、「４０５」はメソッド利用不可、「４０６」は容認不可、「４０７」はプロキシ認証要、「４０８」は要求タイムアウト（時間内にユーザが発見できず）、「４１０」はユーザ不在、「４１３」は要求本体が大きすぎる、「４１４」は要求ＵＲＩが大きすぎる、「４１５」は非対応メディア、「４１６」は非対応スキーム、「４２０」は不正な拡張、「４２１」は拡張要、「４２３」は間隔が短かすぎる、「４８０」は一時的に利用不可、「４８１」は通話／トランザクションが存在しない、「４８２」はループ検出、「４８３」は最大ホップ数超過、「４８４」は不完全なアドレス、「４８５」は曖昧、「４８６」は話中、「４８７」は要求が中止、「４８８」はここでは容認不十分、「４９１」は要求待機中、「４９３」は解読不可である。
【００３９】
なお、応答メッセージがリダイレクト応答「３０１」コードの場合（ステップＳ１０７“ＹＥＳ”）、判定部１３は、移転判定を行い（ステップＳ１０８）、「３０２」コードの場合（ステップＳ１０９“ＹＥＳ”）、一時的移転判定を行う（ステップＳ１１０）。この仕組みにより、「１８０  Ｒｉｎｇｉｎｇ」が発生しないため、調査対象のＩＰ電話７０の鳴動は発生せず、したがって無課金の電話番号調査を実現することができる。
【００４０】
なお、判定部１３による判定結果は、電話番号履歴生成部１４が図４に示す電話番号履歴情報レイアウトにしたがい電話番号履歴情報を生成し、都度、電話番号履歴ＤＢ（１５）に記録する。電話番号履歴ＤＢ（１５）に蓄積された電話番号履歴情報は、一定期間分蓄積された時点で適当な形式で編集し、検索用に希望者に頒布される。
【００４１】
（実施形態の効果）
以上説明のように本実施形態に係る電話番号調査装置１０によれば、調査対象となるＩＰ電話７０、又はＳＩＰサーバ４０にオプション機能や能力を問い合わせるＳＩＰオプション要求を送信し、ＳＩＰサーバ４０経由で応答メッセージを受信し、そして、その応答メッセージが、成功応答又は話し中の場合は現在使用中、要求エラーの場合は欠番、リダイレクト応答の場合は番号移転であると、それぞれ判定することで、相手電話端末のベルを鳴動させることなく、無課金で、ＩＰ電話７０の番号調査が可能になる。
【００４２】
このように、ＩＰ電話７０の電話番号が使用されている状態（有効（実在））、使用されていない状態（無効（欠番））、移転の別をＩＰ電話７０への着信、鳴動を完全に遮断しながら判定できる。また、無着信の結果、これまで一部発生していた課金も全て遮断することができる。そして、判定結果において、判定した期日、時間を判定結果と共に記録媒体（電話番号履歴ＤＢ（１５））に記録できるツールも用意している。この記録媒体には、調査対象の電話番号毎に、判定結果、移転元電話番号とリンクした移転先電話番号の情報、判定した期日、時間が記録される。
【００４３】
（電話番号調査情報提供システムと記録媒体）
図６は、本実施形態に係る電話番号調査情報提供システム１００のシステム構成図である。図６に示すように、本実施形態に係る電話番号調査情報提供システム１００は、１以上のユーザ端末９０と、ユーザ端末９０とはＩＰ網８０経由で接続されるとともに、図示省略したＩＰ電話網と接続される電話番号調査装置（電話番号調査サーバ１０）とを含む。
【００４４】
電話番号調査サーバ１０は、ユーザ端末９０から調査対象番号に基づく電話番号調査情報提供要求をＩＰ網８０経由で受信すると、調査対象となるＩＰ電話７０、又はＳＩＰサーバ４０にオプション機能や能力を問い合わせるＳＩＰオプション要求を送信する。そして、ＳＩＰサーバ４０経由で応答メッセージを受信し、そして、その応答メッセージが、成功応答又は話し中の場合は現在使用中、要求エラーの場合は欠番、リダイレクト応答の場合は番号移転であると、それぞれ判定し、電話番号調査情報提供要求があったユーザ端末９０へＩＰ網８０経由で送信する。このとき、電話番号調査サーバ１０は、ユーザ端末９０から調査対象番号に基づく電話番号調査情報提供要求をＩＰ網８０経由で受信すると、判定の結果のそれぞれに判定日時を示すタイムスタンプを付与して時系列に記録された電話番号調査情報が記録された記憶媒体（電話番号履歴ＤＢ（１５））を参照し、電話番号調査情報提供要求があったユーザ端末９０へＩＰ網８０経由で送信する。
【００４５】
なお、記録媒体（電話番号履歴ＤＢ（１５））は、必要なユーザに単独で頒布されてもよい。記録媒体（電話番号履歴ＤＢ（１５））は、電話交換回線網あるいは通信事業者の交換機に専用線経由で接続される電話番号調査装置１０により生成される、調査対象番号の実在の有無が記録される記録媒体であり、頒布先のシステムで検索用に使用される。記録媒体（電話番号履歴ＤＢ（１５））は、電話番号調査装置１０が、調査対象となるＩＰ電話７０、又はＳＩＰサーバ４０にオプション機能や能力を問い合わせるＳＩＰオプション要求を送信してＳＩＰサーバ４０経由で応答メッセージを受信し、そして、その応答メッセージにしたがい調査対象番号が実在するか否かを判定し、その結果に、判定日時を示すタイムスタンプが付与され、時系列に記録される、例えば、図４に一例を示すデータ構造からなる。なお、頒布は、ＤＶＤやハードディスクに記録したデータベースに限らず、通信回線を利用した頒布も含まれる。
【００４６】
本実施形態に係る電話番号調査情報提供システム１００によれば、電話番号調査装置１０で判定した、電話番号が使用されている状態（有効（実在））、使用されていない状態（無効（欠番））、移転先電話番号を案内している状態（移転）の別を、必要なユーザに提供することかができる。同様に、記録媒体（電話番号履歴ＤＢ（１５））を必要とするユーザへ配布することにより、ユーザサイドで活用でき、例えば、与信等において顕著な効果を得ることができる。
【００４７】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４８】
１０…電話番号調査装置（サーバ）、１１…網インタフェース部、１２…メッセージ交換制御部、１３…判定部、１４…電話番号履歴生成部、１５…電話番号履歴ＤＢ（記録媒体）、３０…ＩＰ電話網、４０…ＳＩＰサーバ、５０，６０…プロキシサーバ（Ｐｒｏｘｙ−Ａ，Ｂ）、７０…ＩＰ電話、８０…ＩＰ網、９０…ユーザ端末、１００…電話番号調査情報提供システム
【図１】
2016225717.tif 000003
【図２】
2016225717.tif 000004
【図３】
2016225717.tif 000005
【図４】
2016225717.tif 000006
【図５】
2016225717.tif 000007
【図６】
2016225717.tif 000008
【図７】
2016225717.tif 000009
【図８】
2016225717.tif 000010